(57)【特許請求の範囲】
【請求項１】
受信した放送信号を調整して送信する共同受信ヘッドアンプであって、
受信した放送信号を分配して送信する入力分配部と、
上記入力分配部より受信した放送信号に対して所定の処理を行うことにより出力信号を生成して送信するチャンネルユニットと、
上記チャンネルユニットより受信した出力信号を混合して送信する出力混合部と、
上記入力分配部と上記チャンネルユニットと上記出力混合部を収容する筐体を備え、
上記入力分配部は、当該入力分配部に放送信号を入力するための信号入力部を備え、
上記出力混合部は、当該出力混合部から放送信号を出力するための信号出力部を備え、
上記筐体は、当該共同受信ヘッドアンプに放送信号を入力するための入力端子と、当該共同受信ヘッドアンプから放送信号を出力するための出力端子とを備え、
上記入力端子及び上記出力端子は、上記筐体を貫通するように、上記筐体に固定されている端子であり、
上記信号入力部は、上記入力端子に機械的かつ電気的に直接接続され、
上記信号出力部は、上記出力端子に機械的かつ電気的に直接接続され、
上記入力分配部のうちの上記信号入力部を有する一部分又は上記入力分配部全体、及び、上記出力混合部のうちの上記信号出力部を有する一部分又は上記出力混合部全体を、各々個別に上記筐体から着脱可能とした、
共同受信ヘッドアンプ。
【請求項２】
上記入力分配部又はその一部分を上記筐体から着脱する機構として、上記入力端子と上記信号入力部とを有するプッシュロック機構を備え、あるいは、
上記出力混合部又はその一部分を上記筐体から着脱する機構として、上記出力端子と上記信号出力部とを有するプッシュロック機構を備えた、
請求項１に記載の共同受信ヘッドアンプ。
【請求項３】
上記入力分配部又は上記出力混合部の少なくとも一方は、少なくとも放送信号を増幅するためのアンプを有する第１ユニットと、アンプを有しない第２ユニットを備え、
上記第１ユニットを、上記第２ユニットと干渉することなく、上記筐体から着脱可能とした、
請求項１又は２に記載の共同受信ヘッドアンプ。
【請求項４】
上記入力分配部又は上記出力混合部の少なくとも一方又はその一部分を、上記チャンネルユニットと干渉することなく、上記筐体から着脱可能とした、
請求項１から３のいずれか一項に記載の共同受信ヘッドアンプ。
【請求項５】
上記入力分配部又は上記出力混合部の少なくとも一方の異常を検知する異常検知手段と、
上記異常検知手段により異常が検知された場合には、当該異常が検知されたことを、上記入力分配部又は上記出力混合部のいずれに当該異常が検知されたのかが識別可能となるように、表示する表示手段を備えた、
請求項１から４のいずれか一項に記載の共同受信ヘッドアンプ。
【発明の詳細な説明】
【技術分野】
【０００１】
本発明は、受信した放送信号を調整して送信する共同受信ヘッドアンプに関する。
【背景技術】
【０００２】
従来から、放送局から送信された放送信号を調整して、各家庭のテレビ等の受信機器へ伝送する共同受信ヘッドアンプが利用されている。
【０００３】
この共同受信ヘッドアンプは、その設置形式に基づいて、主に屋内型と屋外型に二分される。この中で、屋内型の共同受信ヘッドアンプは、例えばマンション等のような共同受信施設の内部に設置され、もう一方の屋外型の共同受信ヘッドアンプは、例えば家屋の外壁や電柱から吊るしたワイヤ等に設置される。
【０００４】
この共同受信ヘッドアンプは、筐体、入力分配部、複数のチャンネルユニット、及び出力混合部を備えて構成されている。筐体は、入力分配部、複数のチャンネルユニット、及び出力混合部を収容する。入力分配部は、受信した放送信号を分配し、各チャンネルユニットに送信する。複数のチャンネルユニットは、伝送するチャンネル毎に設けられており、入力分配部より受信した入力信号をレベル調整した上で出力混合部に送信する。出力混合部は、各チャンネルユニットより受信した放送信号を混合し、この放送信号を出力端子に送信する。
【０００５】
このような共同受信ヘッドアンプにおいて、従来、各チャンネルユニットは筐体から容易に着脱可能となっている（例えば、特許文献１参照）。具体的には、各チャンネルユニットはそれぞれ個別的なケースに収容されてユニット化されており、外部からの作業が容易な位置に設けられたネジ等を介して筐体に固定されていた。このような着脱構造を採用しているのは、地域毎に異なるチャンネル数に対応したチャンネルユニットを筐体に取り付け可能とするためであり、あるいは、異常のあるチャンネルユニットのみを交換可能とするためである。
【０００６】
一方、入力分配部や出力混合部は、個別的なケースに収容されることなく基板等がそのまま露出するように構成されており、外部からの作業が困難な位置において複数のネジ等を用いて筐体に取り付けられていた。
【先行技術文献】
【特許文献】
【０００７】
【特許文献１】特開２００３−３０９７３８号公報
【発明の概要】
【発明が解決しようとする課題】
【０００８】
ここで、入力端子から近い入力分配部や出力端子から近い出力混合部は、雷等の外来ノイズの影響を受けやすく、共同受信ヘッドアンプの部品の中で比較的壊れやすい部品である。しかしながら、特許文献１に記載の如き従来の共同受信ヘッドアンプにおいて、入力分配部及び出力混合部は、基板等がそのまま露出するように構成されていたり、外部からの作業が困難な位置において複数のネジ等を用いて筐体に取り付けられていたので、筐体に対して着脱することが困難であった。したがって、入力分配部又は出力混合部に異常が発生した場合には、入力分配部又は出力混合部を交換するために、手間や費用を要していた。
【０００９】
また、このように入力分配部又は出力混合部を筐体に対して着脱することが困難であったので、入力分配部又は出力混合部を交換する必要が生じた場合、実際には、筐体を一旦設置位置から取り外して作業性のよい場所に移動した上で、交換作業を行う必要があった。しかしながら、屋外型の共同受信ヘッドアンプについては、共同受信ヘッドアンプに接続されている入出力ケーブルに防水処理が施されていたので、筐体を設置位置から取り外す場合には、この防水処理も取り外す必要があり、その後に筐体を設置位置に戻す場合には、この防水処理を再度行う必要があった。このため、屋外型の共同受信ヘッドアンプにおける入力分配部又は出力混合部の交換には、一層の手間や費用を要していた。
【００１０】
本発明は、上記に鑑みてなされたものであって、入力分配部又は出力混合部の少なくとも一方又はその一部分を筐体から着脱可能とすることにより、共同受信ヘッドアンプの維持にかかる手間や費用を削減することができる、共同受信ヘッドアンプを提供することを目的とする。
【課題を解決するための手段】
【００１１】
上述した課題を解決し、目的を達成するために、請求項１に記載の共同受信ヘッドアンプは、受信した放送信号を調整して送信する共同受信ヘッドアンプであって、受信した放送信号を分配して送信する入力分配部と、上記入力分配部より受信した放送信号に対して所定の処理を行うことにより出力信号を生成して送信するチャンネルユニットと、上記チャンネルユニットより受信した出力信号を混合して送信する出力混合部と、上記入力分配部と上記チャンネルユニットと上記出力混合部を収容する筐体を備え、上記入力分配部は、当該入力分配部に放送信号を入力するための信号入力部を備え、上記出力混合部は、当該出力混合部から放送信号を出力するための信号出力部を備え、上記筐体は、当該共同受信ヘッドアンプに放送信号を入力するための入力端子と、当該共同受信ヘッドアンプから放送信号を出力するための出力端子とを備え、上記入力端子及び上記出力端子は、上記筐体を貫通するように、上記筐体に固定されている端子であり、上記信号入力部は、上記入力端子に機械的かつ電気的に直接接続され、上記信号出力部は、上記出力端子に機械的かつ電気的に直接接続され、上記入力分配部のうちの上記信号入力部を有する一部分又は上記入力分配部全体、及び、上記出力混合部のうちの上記信号出力部を有する一部分又は上記出力混合部全体を、各々個別に上記筐体から着脱可能とした。
【００１２】
また、請求項２に記載の共同受信ヘッドアンプは、請求項１に記載の共同受信ヘッドアンプにおいて、上記入力分配部又はその一部分を上記筐体から着脱する機構として、上記入力端子と上記信号入力部とを有するプッシュロック機構を備え、あるいは、上記出力混合部又はその一部分を上記筐体から着脱する機構として、上記出力端子と上記信号出力部とを有するプッシュロック機構を備えた。
【００１３】
また、請求項３に記載の共同受信ヘッドアンプは、請求項１又は２に記載の共同受信ヘッドアンプにおいて、上記入力分配部又は上記出力混合部の少なくとも一方は、少なくとも放送信号を増幅するためのアンプを有する第１ユニットと、アンプを有しない第２ユニットを備え、上記第１ユニットを、上記第２ユニットと干渉することなく、上記筐体から着脱可能とした。
【００１４】
また、請求項４に記載の共同受信ヘッドアンプは、請求項１から３のいずれか一項に記載の共同受信ヘッドアンプにおいて、上記入力分配部又は上記出力混合部の少なくとも一方又はその一部分を、上記チャンネルユニットと干渉することなく、上記筐体から着脱可能とした。
【００１５】
また、請求項５に記載の共同受信ヘッドアンプは、請求項１から４のいずれか一項に記載の共同受信ヘッドアンプにおいて、上記入力分配部又は上記出力混合部の少なくとも一方の異常を検知する異常検知手段と、上記異常検知手段により異常が検知された場合には、当該異常が検知されたことを、上記入力分配部又は上記出力混合部のいずれに当該異常が検知されたのかが識別可能となるように、表示する表示手段を備えた。
【発明の効果】
【００１６】
請求項１に記載の共同受信ヘッドアンプによれば、入力分配部又は出力混合部の少なくとも一方又はその一部分を筐体から着脱可能としたので、故障等が生じた入力分配部又は出力混合部の少なくとも一方又はその一部分のみを容易に交換することが可能になり、共同受信ヘッドアンプの維持にかかる手間や費用を削減することができる。
また、このように入力分配部又は出力混合部の少なくとも一方又はその一部分のみを容易に交換することができるため、筐体を作業性のよい場所に移動する必要がなくなり、設置位置に固定したままでこれら入力分配部又は出力混合部等を交換することができる。このため、共同受信ヘッドアンプに接続されている入出力ケーブルに対する防水処理も取り外すことなくそのまま維持することができ、屋外型の共同受信ヘッドアンプの維持にかかる手間や費用を一層削減することができる。
【００１７】
また、請求項２に記載の共同受信ヘッドアンプによれば、入力分配部又は出力混合部等を筐体から着脱する機構としてプッシュロック機構を備えているので、従来のようにネジ等を用いた構造に比べて、入力分配部又は出力混合部等の交換が一層容易になる。
【００１８】
また、請求項３に記載の共同受信ヘッドアンプによれば、放送信号を増幅するためのアンプを有する第１ユニットを、アンプを有しない第２ユニットと干渉することなく筐体から着脱可能としたので、入力分配部又は出力混合部に障害が発生した場合に、これら入力分配部又は出力混合部の全体ではなく破損し易い部分のみを交換することで障害復旧を行うことが可能になるため、共同受信ヘッドアンプの維持にかかる費用を一層削減することができる。
【００１９】
また、請求項４に記載の共同受信ヘッドアンプによれば、入力分配部又は出力混合部の少なくとも一方又はその一部分を、チャンネルユニットと干渉することなく筐体から着脱可能としたので、チャンネルユニットを筐体に取り付けたまま入力分配部又は出力混合部等のみを取り外して交換することができ、入力分配部又は出力混合部等の交換が一層容易になる。
【００２０】
また、請求項５に記載の共同受信ヘッドアンプによれば、入力分配部又は出力混合部のいずれに異常が検知されたのかが識別可能となるように表示手段にて表示を行うので、入力分配部又は出力混合部のいずれに異常が生じた場合にはこの事実をユーザが容易に把握することができ、共同受信ヘッドアンプの保守や点検に要する手間を削減することができる。
【図面の簡単な説明】
【００２１】
【図１】本発明の実施の形態１に係る共同受信ヘッドアンプを機能概念的に示したブロック図である。
【図２】共同受信ヘッドアンプの外観図であり、（ａ）は正面図、（ｂ）は側面図、（ｃ）は底面図である。
【図３】筐体蓋を取り外した状態の共同受信ヘッドアンプの外観図であり、（ａ）は正面図、（ｂ）は（ａ）のＡ−Ａ矢視断面図である。
【図４】筐体蓋及びチャンネルユニットを取り外した状態の共同受信ヘッドアンプの外観図であり、（ａ）は正面図、（ｂ）は（ａ）のＢ−Ｂ矢視断面図である。
【図５】入力端子に対して信号入力部を接続する前の状態を示す要部斜視図である。
【図６】実施の形態２に係る共同受信ヘッドアンプの概要図である。
【図７】実施の形態３に係る共同受信ヘッドアンプの概要図である。
【発明を実施するための形態】
【００２２】
以下に添付図面を参照して、この発明に係る共同受信ヘッドアンプの各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００２３】
〔Ｉ〕各実施の形態に共通の基本的概念
まず、実施の形態の基本的概念について説明する。本発明は、受信した放送信号を調整して送信する共同受信ヘッドアンプである。
「放送信号」とは、放送のために送信する電波信号であって、例えば地上デジタル放送信号やＢＳデジタル放送信号を含む。
「放送信号を送信する」とは、放送信号を放送波として無線にて送信すること、及び、放送信号を有線にて電線路や光伝送路にて送信することを含む。
【００２４】
本実施形態に係る共同受信ヘッドアンプの設置対象は任意であり、例えば電柱等の支持柱や、家屋の外壁に設置できる。共同受信ヘッドアンプは、その設置形態により、マンション等の共同受信施設の内部等に設置される屋内型と、外壁等に設置される屋外型に大別されるが、いずれの形態の共同受信ヘッドアンプにおいても、本実施の形態を適用することができる。以下では、共同受信ヘッドアンプを屋外型とした場合について説明する。
【００２５】
この共同受信ヘッドアンプの特徴の一つは、概略的に入力分配部又は出力混合部の少なくとも一方又はその一部分を、筐体から着脱できる構成としていることにある。従って、共同受信ヘッドアンプの維持にかかる手間や費用を削減することができる。
「入力分配部」や「出力混合部」については後述する。
また、「少なくとも一方」とは、入力分配部又は出力混合部のどちらか一方のみをいう場合と、入力分配部及び出力混合部の両方をいう場合と、の二通りを含むことを意図する。
また、「又はその一部分」とは、入力分配部又は出力混合部を全体的に筐体から着脱できる構成とする場合の他、入力分配部又は出力混合部のうちの特定の一部分のみを筐体から着脱できる構成とする場合を含むことを意図する。
以下、このように筐体から着脱可能となる部分を、必要に応じて「着脱対象部」と称する。
【００２６】
〔II〕実施の形態の具体的内容
次に、本発明に係る各実施の形態の具体的内容について説明する。
【００２７】
〔実施の形態１〕
最初に、実施の形態１について説明する。本実施の形態は、筐体と入力分配部を着脱する機構としてプッシュロック機構を備え、あるいは、筐体と出力混合部を着脱する機構としてプッシュロック機構を備える形態である。
【００２８】
（構成）
最初に、実施の形態１に係る共同受信ヘッドアンプの構成について説明する。図１は、実施の形態１に係る共同受信ヘッドアンプを機能概念的に示したブロック図である。この共同受信ヘッドアンプ１は、概略的に、筐体２、入力端子３、入力分配部４、複数のチャンネルユニット５、出力混合部６、及び出力端子７を備えて構成されている。
【００２９】
（構成−筐体２）
筐体２は、共同受信ヘッドアンプ１を構成する部品を収容する、共同受信ヘッドアンプ１の外郭である。図２は、共同受信ヘッドアンプ１の外観図であり、（ａ）は正面図、（ｂ）は側面図、（ｃ）は底面図、図３は、筐体蓋９を取り外した状態の共同受信ヘッドアンプ１の外観図であり、（ａ）は正面図、（ｂ）は（ａ）のＡ−Ａ矢視断面図、図４は、筐体蓋９及びチャンネルユニット５を取り外した状態の共同受信ヘッドアンプ１の外観図であり、（ａ）は正面図、（ｂ）は（ａ）のＢ−Ｂ矢視断面図である。
【００３０】
これら各図に示すように、筐体２は、筐体本体８、筐体蓋９、ヒンジ部１０、及び、筐体接合部１１を備えて構成されている。以下では、図２におけるＸ方向を長さ方向、Ｙ方向を幅方向、Ｚ方向を高さ方向と称する。
【００３１】
筐体本体８は、入力分配部４、複数のチャンネルユニット５、及び出力混合部６を収容するものである。筐体本体８は、全体として中空の直方体形状で形成されており、その一側面のほぼ全面が開口面とされている。この筐体本体８の内部の底面には、図４（ｂ）に示すように、所定の位置にネジ穴１２が設けられる。このネジ穴１２は、入力分配部４及び出力混合部６を別々に固定するための接合手段である。入力分配部４及び出力混合部６の固定方法は後述する。
【００３２】
図２において、筐体蓋９は、筐体２を開閉するためのものであり、筐体本体８に対応する外形の中空の直方体形状で形成されており、筐体本体８に対向する面のほぼ全面が開口面とされている。
【００３３】
ヒンジ部１０は、筐体本体８に対して筐体蓋９を回動自在に接合する接合手段であり、筐体２の長さ方向の一辺であって筐体本体８と筐体蓋９とが係合する辺の２箇所に設けられている。
【００３４】
筐体接合部１１は、筐体蓋９を閉じた際に、筐体本体８と筐体蓋９を接合する接合手段であり、筐体２の長さ方向の一辺であってヒンジ部１０の配置位置に対応する２箇所に設けられている。筐体接合部１１の具体的な構造は任意であり、例えば筐体本体８と筐体蓋９をボルト締結する構造が挙げられる。
【００３５】
このような構成において、筐体蓋９は、ヒンジ部１０を介して、筐体本体８の開口面を覆う閉鎖位置と、筐体本体８の開口面を解放する解放位置との２位置に移動可能となっている。また、筐体蓋９は、筐体本体８の開口面を覆う閉鎖位置において、筐体接合部１１を介して筐体本体８に接合されることで、筐体本体８を密閉する。ここで、筐体本体８と筐体蓋９との接合部には、その全周に渡るように防水ゴムが設けられており、閉鎖位置において筐体蓋９が筐体本体８に接合された状態においては、この防水ゴムを介して筐体本体８と筐体蓋９との密閉性が保持され、筐体２の内部への浸水を防止することができる。
【００３６】
（構成−入力端子３）
図３において、入力端子３は、入力ケーブルより入力された放送信号を入力分配部４へ出力する端子である。入力端子３は、筐体本体８の外部から内部に貫通するよう配置されており、筐体２の外部において図示しない入力ケーブルと接続され、筐体２の内部において入力分配部４の後述する信号入力部１４と接続される。なお、具体的には、入力端子３としては、放送出力用の入力端子（広帯域用）３ａ、モニタ出力用の入力端子（狭帯域用）３ｂ、及びＦＭ放送用の入力端子（ＦＭ放送用）３ｃの３つの入力端子３が、筐体２の同一面に並設されている。ただし、これら各端子は相互に同一に構成できるため、特記する場合を除き、これら各端子を単に入力端子３と称する。
【００３７】
（構成−入力分配部４）
図４において、入力分配部４は、入力端子３から入力された放送信号を、複数のチャンネルユニット５の数に応じて分配し、各チャンネルユニット５に出力する分配手段である。この入力分配部４は、直方体形状にて形成され、筐体本体８の長さ方向の端部に設けられている。入力分配部４は、概略的には、ユニットケース１３、信号入力部１４、信号分配部１５、信号出力部１６、筐体取り付け部１７、チャンネルユニット取り付け部１８、及び入力モニタ用端子２４を備えて構成されている。
【００３８】
ユニットケース１３は、入力分配部４を構成する各部品を収容する、入力分配部４の外郭である。例えば、ユニットケース１３は、樹脂や軽金属等にて、筐体本体８とほぼ同一の幅であってほぼ半分の高さの中空の直方体として形成されている。このようにユニットケース１３に各部品を収容することにより、入力分配部４を一体的な構造体としてユニット化することができる。
【００３９】
信号入力部１４は、入力端子３より入力された放送信号の入力を受け付ける入力手段である。この信号入力部１４は、ユニットケース１３の側面における入力端子３と対向する位置に配置されており、これら信号入力部１４と入力端子３とを接合することにより、入力分配部４と入力端子３とを機械的及び電気的に接続することができる。なお、具体的には、広帯域信号の入力を受け付ける信号入力部（広帯域用）１４ａと、狭帯域信号の入力を受け付ける信号入力部（狭帯域用）１４ｂと、ＦＭ放送信号の入力を受け付ける信号入力部（ＦＭ放送用）１４ｃが、ユニットケース１３の同一面に並設されている。ただし、各信号入力部は実質的に同一の構造を採用することができるため、以下では、特記する場合を除き、単に信号入力部１４と称する。
【００４０】
ここで、「機械的に接続する」とは、入力分配部４を、入力端子３に対する位置が固定されて特定方向への移動が規制された状態とすることを意味する。この入力端子３は筐体本体８に固定されていることから、結果として、入力分配部４を、筐体本体８に対する位置が固定されて特定方向への移動が規制された状態とすることを意味する。ここで、「特定方向」とは、後述するプッシュロック機構による押し込み方向とは逆方向を意味する。また、「電気的に接続する」とは、入力分配部４を、入力端子３からの電気信号（放送信号）が入力可能となるように、当該入力端子３に接合することを意味する。
【００４１】
図１において、信号分配部１５は、入力端子３から入力された放送信号を、複数のチャンネルユニット５の数に応じて分配して出力する信号分配手段である。この信号分配部１５は、避雷器１９、ＡＴＴ（アッテネータ）２０、ＢＰＦ（バンドパスフィルタ）２１、アンプ２２、及び分配器２３、を備えて構成されている。避雷器１９は、所定値以上の電圧の入力信号が入力された場合に当該入力信号をアース端子に迂回させる避雷手段である。ＡＴＴ２０は、所定レベル以上の入力信号が入力された場合に信号レベルを減衰させる減衰手段である。ＢＰＦ２１は、入力信号の所定帯域成分のみを通過させる帯域制限通過手段である。アンプ２２は、入力信号を増幅するための増幅手段である。分配器２３は、入力信号を複数のチャンネルユニット５の数に応じて分配する信号分配手段である。
【００４２】
信号出力部１６は、入力分配部４により分配された放送信号を出力する出力手段である。この信号出力部１６は、ユニットケース１３の側面におけるチャンネルユニット５の入力部と対向する位置に配置されており、これら信号出力部１６とチャンネルユニット５の入力部２６とを接合することにより、これら入力分配部４とチャンネルユニット５とを電気的に接続することができる。ここで、「電気的に接続する」とは、入力分配部４からチャンネルユニット５への電気信号（放送信号）の出力が可能となるように、入力分配部４をチャンネルユニット５に接合することを意味する。具体的には、信号出力部１６は、各チャンネルユニット５毎に設けられ、各チャンネルユニット５の入力部２６と互いに嵌合する形状を有するプラグインコネクタとして構成されている。
【００４３】
図３、４において、筐体取り付け部１７は、入力分配部４と筐体２を接合する接合部である。例えば、筐体取り付け部１７は、ユニットケース１３を貫通する貫通孔として形成されており、筐体本体８の底面に設置されたネジ穴１２と対向する位置に設けられている。このような構成において、筐体取り付け部１７にネジを挿し込み、筐体本体８のネジ穴１２に締結することにより、筐体本体８に入力分配部４を固定することができる。
【００４４】
チャンネルユニット取り付け部１８は、入力分配部４とチャンネルユニット５を接合する接合部である。例えば、チャンネルユニット取り付け部１８は、チャンネルユニット５の入力側取り付け部２９と対向する位置に配置されたネジ穴として形成されている。
【００４５】
入力モニタ用端子２４は、点検または修理の際に、入力分配部の信号レベルを測定する測定機器と接続される部分であって、当該測定機器の入力プラグと互いに嵌合する形状を有するプラグインコネクタとして形成されている。具体的には、広帯域放送の信号レベルを測定する際に測定機器のプラグが接続される部分である入力モニタ用端子（広帯域用）２４ａと、狭帯域放送の信号レベルを測定する際に測定機器のプラグが接続される部分である入力モニタ用端子（狭帯域用）２４ｂと、ＦＭ放送の信号レベルを測定する際に測定機器のプラグが接続される部分である入力モニタ用端子（ＦＭ放送用）２４ｃが、入力分配部４の同一面に並設されている。ただし、各入力モニタ用端子２４は実質的に同一の構造を採用することができるため、以下では、特記する場合を除き、単に入力モニタ用端子２４と称する。
【００４６】
（構成−チャンネルユニット５）
図３において、複数のチャンネルユニット５は、入力分配部４より出力された放送信号に対して所定の処理を行うことにより出力混合部６に放送信号を出力するユニットであり、複数のチャンネルの各々に対して割り当てられたユニットである。これら複数のチャンネルユニット５は、相互に同一構成となっており、筐体本体８の中央位置において、入力分配部４から出力混合部６に至るように、筐体２の長さ方向に沿って並設されている。
【００４７】
各チャンネルユニット５は、入力分配部４より出力された自己に割り当てられた放送信号のレベル調整を行って放送信号として出力するものである。具体的には、一般放送が割り当てられる一般チャンネルユニット５ａと、ＦＭ放送が割り当てられるＦＭチャンネルユニット５ｂに分類される。ただし、一般チャンネルユニット５ａとＦＭチャンネルユニット５ｂは実質的に同一の構造を採用することができるため、特記する場合を除き、単にチャンネルユニット５と称する。
【００４８】
チャンネルユニット５は、概略的には、ユニットケース２５、入力部２６、信号調整部２７、出力部２８、入力側取り付け部２９、及び出力側取り付け部３０を備えて構成される。
【００４９】
ユニットケース２５は、チャンネルユニット５を構成する各部品を収容する、チャンネルユニット５の外郭である。例えば、ユニットケース２５は、樹脂や軽金属等にて、筐体本体８とほぼ同一の高さの中空の直方体として形成されている。このようにユニットケース２５に各部品を収容することにより、チャンネルユニット５を一体的な構造体としてユニット化することができる。
【００５０】
入力部２６は、入力分配部４の信号出力部１６より出力された放送信号を入力する、入力手段であり、入力分配部４の信号出力部１６と互いに嵌合する形状を有するプラグコネクタとして構成されている。このような構成において、入力部２６を、当該入力部２６と対向配置された入力分配部４の信号出力部１６に差し込むことにより、チャンネルユニット５と入力分配部４とを電気的に接続することができる。
【００５１】
図１において、信号調整部２７は、入力分配部４より出力された自己に割り当てられた放送信号のレベル調整を行って放送信号として出力する信号調整手段である。ただし、これら信号調整部２７については、公知の構成を使用することができるので、その詳細な説明及び図示を省略する。
【００５２】
図３、４において、出力部２８は、調整した放送信号を、出力混合部６に出力する出力手段であり、出力混合部６の後述する信号入力部３２と互いに嵌合する形状を有するプラグコネクタとして構成されている。このような構成において、出力部２８を、当該出力部２８と対向配置された出力混合部６の信号入力部３２に差し込むことにより、チャンネルユニット５と出力混合部６とを電気的に接続することができる。
【００５３】
入力側取り付け部２９は、各チャンネルユニット５と入力分配部４とを接合する接合手段である。例えば、入力側取り付け部２９は、ユニットケース２５を貫通する貫通孔であって、入力分配部４のチャンネルユニット取り付け部１８と対向する位置に配置されている。このような構成において、入力側取り付け部２９にネジを挿し込み、入力分配部４のチャンネルユニット取り付け部１８に締結することにより、入力分配部４にチャンネルユニット５を固定することができる。
【００５４】
出力側取り付け部３０は、各チャンネルユニット５と出力混合部６とを接合する接合手段である。例えば、出力側取り付け部３０は、ユニットケース２５を貫通する貫通孔であって、出力混合部６のチャンネルユニット取り付け部３６と対向する位置に配置されている。このような構成において、出力側取り付け部３０にネジを挿し込み、出力混合部６のチャンネルユニット取り付け部３６に締結することにより、出力混合部６にチャンネルユニット５を固定することができる。
【００５５】
（構成−出力混合部６）
図３、４において、出力混合部６は、各チャンネルユニット５より出力された放送信号を混合し、出力端子７に出力する混合手段である。この出力混合部６は、直方体形状にて形成され、筐体本体８の長さ方向の入力分配部４とは反対側の端部に設けられている。出力混合部６は、概略的には、ユニットケース３１、信号入力部３２、信号混合部３３、信号出力部３４、筐体取り付け部３５、及びチャンネルユニット取り付け部３６を備えて構成されている。
【００５６】
ユニットケース３１は、出力混合部６を構成する各部品を収容する、出力混合部６の外郭である。例えば、ユニットケース３１は、樹脂や軽金属等にて、筐体本体８とほぼ同一の幅であってほぼ半分の高さの中空の直方体として形成されている。このようにユニットケース３１に各部品を収容することにより、出力混合部６を一体的な構造体としてユニット化することができる。
【００５７】
信号入力部３２は、各チャンネルユニット５より入力された放送信号の入力を受け付ける入力手段である。この信号入力部３２は、ユニットケース３１の側面におけるチャンネルユニット５の出力部２８と対向する位置に配置されており、これら信号入力部３２とチャンネルユニット５の出力部２８とを接合することにより、これら出力混合部６とチャンネルユニット５とを電気的に接続することができる。ここで、「電気的に接続する」とは、チャンネルユニット５から出力混合部６への電気信号（放送信号）の出力が可能となるように、出力混合部６をチャンネルユニット５に接合することを意味する。具体的には、信号入力部３２は、各チャンネルユニット５毎に設けられ、各チャンネルユニット５の出力部２８と互いに嵌合する形状を有するプラグインコネクタとして構成されている。
【００５８】
図１において、信号混合部３３は、各チャンネルユニット５から入力された放送信号を、混合して出力する信号混合手段である。この信号混合部３３は、混合器３７、アンプ３８、ＢＰＦ３９、及び避雷器４０を備えて構成されている。混合器３７は、入力された放送信号を、混合する信号混合手段である。アンプ３８は、放送信号を増幅するための増幅手段である。ＢＰＦ３９は、入力信号の所定帯域成分のみを通過させる帯域制限通過手段である。避雷器４０は、所定値以上の電圧の信号が信号出力部３４から入力された場合に当該信号をアース端子に迂回させる避雷手段である。
【００５９】
図３、４において、信号出力部３４は、出力混合部６により混合された放送信号を出力する出力手段である。この信号出力部３４は、ユニットケース３１の側面における出力端子７と対向する位置に配置されており、これら信号出力部３４と出力端子７とを接合することにより、出力混合部６と出力端子７とを機械的及び電気的に接続することができる。なお、実際には、信号出力部３４としては、各出力端子７に対応する位置及び形状で配置されており、放送出力用の信号出力部（放送用）３４ａ、及びモニタ出力用の信号出力部（モニタ用）３４ｂの２つの信号出力部３４が、ユニットケース３１の同一面に並設されている。ただし、これら各信号出力部は実質的に同一の構造を採用することができるため、特記する場合を除き、単に信号出力部３４と称する。
【００６０】
ここで、「機械的に接続する」とは、出力混合部６を、出力端子７に対する位置が固定されて特定方向への移動が規制された状態とすることを意味する。この出力端子７は筐体本体８に固定されていることから、結果として、出力混合部６を、筐体本体８に対する位置が固定されて特定方向への移動が規制された状態とすることを意味する。ここで、「特定方向」とは、後述するプッシュロック機構による押し込み方向とは逆方向を意味する。また、「電気的に接続する」とは、出力混合部６を、出力端子７に電気信号（放送信号）が出力可能となるように、当該出力端子７に接合することを意味する。
【００６１】
筐体取り付け部３５は、出力混合部６と筐体２を接合する接合手段である。例えば、筐体取り付け部３５は、ユニットケース３１を貫通する貫通孔として形成されており、筐体本体８の底面に設置されたネジ穴１２と対向する位置に設けられている。このような構成において、筐体取り付け部３５にネジを挿し込み、筐体本体８のネジ穴１２に締結することにより、筐体本体８に出力混合部６を固定することができる。
【００６２】
チャンネルユニット取り付け部３６は、出力混合部６とチャンネルユニット５を接合する接合手段である。例えば、チャンネルユニット取り付け部３６は、チャンネルユニット５の出力側取り付け部３０と対向する位置に配置されたネジ穴として形成されている。
【００６３】
（構成−出力端子７）
出力端子７は、出力混合部６より出力された放送信号を、出力ケーブルへ出力する端子である。出力端子７は、筐体本体８の外部から内部に貫通するよう配置されており、筐体２の内部において出力混合部６の信号出力部３４と接続され、筐体２の外部において出力ケーブルと接続される。なお、具体的には、出力端子７としては、放送出力用の出力端子（放送用）７ａ、及びモニタ出力用の出力端子（モニタ用）７ｂの２つの出力端子７が、筐体２の同一面に並設されているが、これら各端子は相互に同一に構成できるため、特記する場合を除き、これら各端子を単に出力端子７と称する。
【００６４】
（構成−その他）
また、図示は省略しているが、共同受信ヘッドアンプ１は、電源部を備えている。例えば、後段側に設けられた図示しない電源供給器から供給される電力を、放送出力用の出力端子（放送用）７ａを介して受容可能となっている。また、筐体２の出力側には、図示しない直接給電端子が設けられている。そして、これら各種の電源から入力された電力を切り換えて使用するための切換スイッチや、ＡＣ／ＤＣ変換を行うための変換部が設けられており、変換された電力が各部に供給される。
【００６５】
（構成−着脱構造）
ここで、信号入力部１４と入力端子３との相互の着脱構造と、信号出力部３４と出力端子７との相互の着脱構造とについて、さらに詳細に説明する。ただし、両者の構造としては実質的に同一の構造を採用することができるので、以下では、信号入力部１４と入力端子３との相互の着脱構造について説明する。
【００６６】
図５は、入力端子３に対して信号入力部１４を接続する前の状態を示す要部斜視図である。信号入力部１４と入力端子３との相互の着脱構造は、いわゆるプッシュロック構造として構成されている。具体的には、入力端子３のうち、信号入力部１４と接続される部分は、概略的には中実円筒体として形成されており、この円筒体の外周部は平滑状に形成された接点として構成され、この円筒体の内部には信号入力部１４の芯線４１を受容可能なものであって当該芯線４１に接続可能な凹状接点が設けられている。一方、信号入力部１４のうち、入力端子３と接続される部分は、入力端子３の外径にほぼ対応する内径を有する中空円筒体と、この中空円筒体の軸芯位置に配置された芯線４１とを備えて構成されており、中空円筒体には、入力端子３に対する信号入力部１４の着脱方向に沿ったスリットであって当該入力端子３に対向する開口を有する複数のスリット４２が形成されている。
【００６７】
このような構成において、入力端子３に信号入力部１４を押し当てることにより、入力端子３の中実円筒体が信号入力部１４の中空円筒体の内部に挿入される。この際、信号入力部１４の中空円筒体は、スリット４２を介して自己の弾性力により拡径又は縮径が可能となっているため、その内面を、入力端子３の中実円筒体の平滑な外周面に対して、常時押圧接触させることができる。また、このように挿入することで、信号入力部１４の芯線４１を、入力端子３の凹状接点に挿入して接触させることができる。従って、信号入力部１４と入力端子３とを、上述のように電気的に接合することができる。特に、信号入力部１４の中空円筒体の弾性力により入力端子３を外部から機械的に保持できるので、信号入力部１４と入力端子３とを、上述のように機械的に接合することができる。このように、入力端子３に信号入力部１４を押し当てるという単一動作を行うことで、信号入力部１４と入力端子３との機械的かつ電気的な接合を同時に達成できるので、筐体２に対する入力分配部４の取り付けを容易に行うことができる。
【００６８】
逆に、入力端子３から信号入力部１４を引き抜くことにより、入力端子３の中実円筒体が信号入力部１４の中空円筒体の内部から引き出され、信号入力部１４と入力端子３との機械的及び電気的な接合が同時に解除される。このように、入力端子３から信号入力部１４を引き抜くという単一動作を行うことで、信号入力部１４と入力端子３との機械的かつ電気的な接合の解除を同時に達成できるので、筐体２に対する入力分配部４の取り外しを容易に行うことができる。
【００６９】
（構成−着脱手順）
最後に、入力分配部４や出力混合部６の筐体２に対する着脱手順について、さらに詳細に説明する。ただし、両者の手順としては実質的に同一の手順を採用することができるので、以下では、入力分配部４と入力端子３との相互の着脱手順について説明する。
【００７０】
図３のようにチャンネルユニット５が筐体２に取り付けられている状態において、入力分配部４に交換の必要が生じた場合には、まず、全てのチャンネルユニット５を筐体２から取り外す。具体的には、チャンネルユニット５の入力側取り付け部２９を介して、入力分配部４のチャンネルユニット取り付け部１８に取り付けられているネジを取り外す。同様に、チャンネルユニット５の出力側取り付け部３０を介して、出力混合部６のチャンネルユニット取り付け部３６に取り付けられているネジを取り外す。
【００７１】
次に、入力分配部４を筐体２から取り外す。具体的には、筐体取り付け部１７のネジを回してネジ穴１２との締結を解除し、入力分配部４を入力端子３とは反対側の方向にスライドさせることで、信号入力部１４と入力端子３との機械的かつ電気的な接合を解除する。このことにより、入力分配部４を筐体２から取り出すことができる。
【００７２】
その後、交換した入力分配部４を筐体２に取り付ける。具体的には、入力分配部４を入力端子３の方向にスライドさせることで、信号入力部１４と入力端子３との機械的かつ電気的な接合を行う。さらに筐体取り付け部１７にネジを差し込みネジ穴１２と締結する。このことにより、入力分配部４を筐体２に取り付けることができる。
【００７３】
最後に、全てのチャンネルユニット５を筐体２に取り付ける。具体的には、チャンネルユニット５の入力側取り付け部２９を介して、入力分配部４のチャンネルユニット取り付け部１８にネジを取り付ける。同様に、チャンネルユニット５の出力側取り付け部３０を介して、出力混合部６のチャンネルユニット取り付け部３６にネジを取り付ける。これにて入力分配部４の交換が完了する。この交換作業は、筐体２を設置位置から移動させることなく行うことができるので、入力端子３や出力端子７に対する外部の同軸ケーブルの防水処理を棄損することがない。
【００７４】
（実施の形態１の効果）
このように実施の形態１によれば、入力分配部４又は出力混合部６の少なくとも一方又はその一部分を筐体２から着脱可能としたので、故障等が生じた入力分配部４又は出力混合部６の少なくとも一方又はその一部分のみを容易に交換することが可能になり、共同受信ヘッドアンプ１の維持にかかる手間や費用を削減することができる。
また、このように入力分配部４又は出力混合部６の少なくとも一方又はその一部分のみを容易に交換することができるため、筐体２を作業性のよい場所に移動する必要がなくなり、設置位置に固定したままでこれら入力分配部４又は出力混合部６等を交換することができる。このため、共同受信ヘッドアンプ１に接続されている入出力ケーブルに対する防水処理も取り外すことなくそのまま維持することができ、屋外型の共同受信ヘッドアンプ１の維持にかかる手間や費用を一層削減することができる。
【００７５】
また、入力分配部４又は出力混合部６等を筐体２から着脱する機構としてプッシュロック機構を備えているので、従来のようにネジ等を用いた構造に比べて、入力分配部４又は出力混合部６等の交換が一層容易になる。
【００７６】
〔実施の形態２〕
次に、実施の形態２について説明する。本実施の形態は、入力分配部又は出力混合部の少なくとも一方は、少なくとも放送信号を増幅するためのアンプを有する第１ユニットと、アンプを有しない第２ユニットを備え、第１ユニットを、第２ユニットと干渉することなく、筐体２から着脱可能とした形態である。なお、実施の形態２の構成や手順は、特記する場合を除いて実施の形態１の構成や手順と略同一であり、実施の形態１の構成や手順と略同一の構成や手順についてはこの実施の形態１で用いたのと同一の符号を必要に応じて付して、その説明を省略する。
【００７７】
（構成）
最初に、実施の形態２に係る共同受信ヘッドアンプ５０の構成について説明する。図６は、実施の形態２に係る共同受信ヘッドアンプ５０の概要図である。この共同受信ヘッドアンプ５０は、概略的に、筐体２、入力端子３、入力分配部４、複数のチャンネルユニット５、出力混合部６、及び出力端子７を備えて構成されている。
【００７８】
（構成−入力分配部４）
入力分配部４は、第１ユニット５１と第２ユニット５２を備えて構成されている。
【００７９】
（構成−入力分配部４−第１ユニット５１）
第１ユニット５１は、少なくとも放送信号を増幅するためのアンプ２２を有するユニットである。具体的には、第１ユニット５１は、ユニットケース５３、信号入力部５４、第１信号分配部５５、及び信号出力部５６を備えて構成されている。
【００８０】
ユニットケース５３は、第１ユニット５１を構成する各部品を収容する、第１ユニット５１の外郭である。例えば、ユニットケース５３は、樹脂や軽金属等にて、筐体本体８とほぼ同一の幅であってほぼ半分の高さの中空の直方体として形成されている。ただし、ユニットケース５３は、実施の形態１における入力分配部４のユニットケース５３の半分程度の長さに形成されている。このようにユニットケース５３に各部品を収容することにより、第１ユニット５１を一体的な構造体としてユニット化することができる。
【００８１】
信号入力部５４は、第１ユニット５１のユニットケース５３における入力端子３に対向する側面において、実施の形態１の信号入力部１４と同様に構成されている。
【００８２】
第１信号分配部５５は、実施の形態１の入力分配部４の信号分配部に含まれる各部の中で、比較的壊れ易い部品によって構成されており、例えば、避雷器１９、ＡＴＴ（アッテネータ）２０、ＢＰＦ２１、及びアンプ２２、を含んで構成されている。特に、この中で、アンプ２２は、雷等の外来ノイズの影響を受けやすく、入力分配部４の中でも比較的壊れやすい部品と考えられる。なお、これら各部の図示は図６において省略する。
【００８３】
信号出力部５６は、第１ユニット５１から第２ユニット５２に向けて信号を出力するための出力手段であり、例えば、第１ユニット５１のユニットケース５３における第２ユニット５２に対向する側面において、ケーブル用端子として構成されている。
【００８４】
（構成−入力分配部４−第２ユニット５２）
第２ユニット５２は、アンプ２２を有しないユニットである。具体的には、第２ユニット５２は、ユニットケース５７、信号入力部５８、第２信号分配部５９、信号出力部６０、筐体取り付け部１７、及びチャンネルユニット取り付け部１８を備えて構成されている。
【００８５】
ユニットケース５７は、第２ユニット５２を構成する各部品を収容する、第２ユニット５２の外郭である。例えば、第１ユニット５１のユニットケース５７とほぼ同様に形成されている。このようにユニットケース５７に各部品を収容することにより、第２ユニット５２を一体的な構造体としてユニット化することができる。
【００８６】
信号入力部５８は、第１ユニット５１から第２ユニット５２に向けて信号を入力するための入力手段であり、例えば、第２ユニット５２のユニットケース５７における第１ユニット５１に対向する側面において、第１ユニット５１のケーブル用端子に着脱自在に接続可能なケーブルとして構成されている。
【００８７】
第２信号分配部５９は、実施の形態１の入力分配部４の信号分配部１５に含まれる各部の中で、比較的壊れ難い部品によって構成されており、例えば、分配器２３を含んで構成されている。なお、これら各部の図示は図６において省略する。
【００８８】
信号出力部６０、筐体取り付け部１７、及びチャンネルユニット取り付け部１８は、第２ユニット５２のユニットケース５７において、実施の形態１とそれぞれ同様に構成されている。
【００８９】
（第１ユニット５１と第２ユニット５２の非干渉構造）
次に、このように構成された第１ユニット５１と第２ユニット５２の非干渉構造について説明する。第１ユニット５１は、第２ユニット５２と干渉することなく、筐体２から着脱可能となっている。「干渉することなく」とは、第２ユニット５２の筐体２に対する着脱のいかんによらず、第１ユニット５１を筐体２に対して着脱できることをいう。このような非干渉構造の具体的態様は任意であり、例えば図６のように、第１ユニット５１を着脱する導線上に第２ユニット５２が重ならないようにすることで、第２ユニット５２と干渉することなく第１ユニット５１を着脱することができる。
【００９０】
（構成−出力混合部６）
次に、出力混合部６の構成について説明する。出力混合部６は、第１ユニット６１と第２ユニット６２を備えて構成されている。
【００９１】
（構成−出力混合部６−第１ユニット６１）
第１ユニット６１は、少なくとも放送信号を増幅するためのアンプ３８を有するユニットである。具体的には、第１ユニット６１は、ユニットケース６３、信号入力部６４、第１信号混合部６５、及び信号出力部６６を備えて構成されている。
【００９２】
ユニットケース６３は、第１ユニット６１を構成する各部品を収容する、第１ユニット６１の外郭である。例えば、ユニットケース６３は、樹脂や軽金属等にて、筐体本体８とほぼ同一の幅であってほぼ半分の高さの中空の直方体として形成されている。ただし、ユニットケース６３は、実施の形態１における入力分配部４のユニットケース６３の半分程度の長さに形成されている。このようにユニットケース６３に各部品を収容することにより、第１ユニット６１を一体的な構造体としてユニット化することができる。
【００９３】
信号入力部６４は、第２ユニット６２から第１ユニット６１に向けて信号を入力するための入力手段であり、例えば、第１ユニット６１のユニットケース６３における第２ユニット６２に対向する側面において、ケーブル用端子として構成されている。
【００９４】
第１信号混合部６５は、実施の形態１の出力混合部６の信号混合部に含まれる各部の中で、比較的壊れ易い部品によって構成されており、例えば、アンプ３８、ＢＰＦ３９、及び避雷器４０を含んで構成されている。特に、この中で、アンプ３８は、雷等の外来ノイズの影響を受けやすく、出力混合部６の中でも比較的壊れやすい部品と考えられる。なお、これら各部の図示は図６において省略する。
【００９５】
信号出力部６６は、第１ユニット６１のユニットケース６３における出力端子７に対向する側面において、実施の形態１の信号出力部と同様に構成されている。
【００９６】
（構成−出力混合部６−第２ユニット６２）
第２ユニット６２は、アンプ３８を有しないユニットである。具体的には、第２ユニット６２は、ユニットケース６７、信号入力部６８、第２信号混合部６９、信号出力部７０、筐体取り付け部３５、及びチャンネルユニット取り付け部３６を備えて構成されている。
【００９７】
ユニットケース６７は、第２ユニット６２を構成する各部品を収容する、第２ユニット６２の外郭である。例えば、第１ユニット６１のユニットケース６３とほぼ同様に形成されている。このようにユニットケース６７に各部品を収容することにより、第２ユニット６２を一体的な構造体としてユニット化することができる。
【００９８】
信号出力部７０は、第２ユニット６２から第１ユニット６１に向けて信号を出力するための出力手段であり、例えば、第２ユニット６２のユニットケース６７におけるに対向する側面において、第１ユニット６１のケーブル用端子に着脱自在に接続可能なケーブルとして構成されている。
【００９９】
第２信号混合部６９は、実施の形態１の出力混合部６の信号混合部３３に含まれる各部の中で、比較的壊れ難い部品によって構成されており、例えば、混合器３７を含んで構成されている。なお、これら各部の図示は図６において省略する。
【０１００】
信号入力部６８、筐体取り付け部３５、及びチャンネルユニット取り付け部３６は、第２ユニット６２のユニットケース６７において、実施の形態１とそれぞれ同様に構成されている。
【０１０１】
（第１ユニット６１と第２ユニット６２の非干渉構造）
このように構成された第１ユニット６１と第２ユニット６２の非干渉構造は、入力分配部４の第１ユニット５１と第２ユニット５２の非干渉構造と同様である。例えば図６のように、第１ユニット６１を着脱する導線上に第２ユニット６２が重ならないようにすることで、第２ユニット６２と干渉することなく第１ユニット６１を着脱することができる。
【０１０２】
（実施の形態２の効果）
このように実施の形態２によれば、実施の形態１と同様の効果に加えて、放送信号を増幅するためのアンプを有する第１ユニットを、このアンプを有しない第２ユニットと干渉することなく筐体２から着脱可能としたので、入力分配部４又は出力混合部６に障害が発生した場合に、これら入力分配部４又は出力混合部６の全体ではなく破損し易い部分のみを交換することで障害復旧を行うことが可能になるため、共同受信ヘッドアンプ５０の維持にかかる費用を一層削減することができる。
【０１０３】
〔実施の形態３〕
次に、実施の形態３について説明する。本実施の形態は、入力分配部又は出力混合部の少なくとも一方又はその一部分を、チャンネルユニットと干渉することなく、筐体から着脱可能とした形態である。また、本実施の形態は、入力分配部又は出力混合部の少なくとも一方の異常を検知する異常検知手段と、入力分配部又は出力混合部のいずれに当該異常が検知されたのかが識別可能となるように、表示する表示手段を備えた形態である。なお、実施の形態３の構成は、特記する場合を除いて実施の形態１の構成と略同一であり、実施の形態１の構成と略同一の構成についてはこの実施の形態１で用いたのと同一の符号を必要に応じて付して、その説明を省略する。
【０１０４】
（構成）
最初に、実施の形態３に係る共同受信ヘッドアンプ８０の構成について説明する。図７は、実施の形態３に係る共同受信ヘッドアンプ８０の概要図である。この共同受信ヘッドアンプ８０は、概略的に、筐体２、入力端子３、入力分配部４、複数のチャンネルユニット５、出力混合部６、及び出力端子７を備えて構成されている。
【０１０５】
（構成−入力分配部４）
入力分配部４は、概略的には、ユニットケース８１、信号入力部８２、信号分配部８３、異常検知部８３ａ、信号出力部８４、入力表示部８５、及び筐体取り付け部８６を備えて構成されている。ただし、ユニットケース８１、信号入力部８２、信号分配部８３、及び筐体取り付け部８６は、実施の形態１と同様に構成できるので、その詳細な説明は省略する。
【０１０６】
信号出力部８４は、入力分配部４からチャンネルユニット５に向けて信号を出力するための出力手段であり、例えば、入力分配部４のユニットケース８１におけるチャンネルユニット５に対向する側面において、ケーブル用端子として構成されている。
【０１０７】
異常検知部８３ａは、入力分配部４の異常を検知する異常検知手段である。この異常検知部８３ａの具体的な構成は任意である。例えば、異常検知部８３ａは、信号分配部８３に含まれる各部の中で、比較的壊れ易い部品（アンプ等）の後段側において、入力信号のレベルを公知の方法で検知する。そして、異常検知部８３ａは、当該検知したレベルを所定の基準レベルと比較することにより、異常の有無を判定し、異常があると判定した場合には、異常検知信号を入力表示部８５に出力する。
【０１０８】
入力表示部８５は、異常検知部８３ａにより異常が検知された場合には、当該異常が検知されたことを、入力分配部４又は出力混合部６のいずれに当該異常が検知されたのかが識別可能となるように、表示する表示手段である。この入力表示部８５の具体的構成は任意であり、例えば、図７のように入力分配部４のユニットケース８１の上面に設けた表示部（例えば表示灯や、液晶パネル）として構成される。
【０１０９】
（入力分配部４とチャンネルユニット５の非干渉構造）
次に、このように構成された入力分配部４とチャンネルユニット５の非干渉構造について説明する。入力分配部４は、チャンネルユニット５と干渉することなく、筐体２から着脱可能となっている。「干渉することなく」とは、チャンネルユニット５の筐体２に対する着脱のいかんによらず、入力分配部４を筐体２に対して着脱できることをいう。このような非干渉構造の具体的態様は任意であり、例えば図７のように、入力分配部４を着脱する導線上にチャンネルユニット５が重ならないようにすることで、チャンネルユニット５と干渉することなく入力分配部４を着脱することができる。また、入力分配部４とチャンネルユニット５とを相互にケーブルにて接続すると共に、これら入力分配部４とチャンネルユニット５との相互間にスペースを設けている。このため、入力分配部４の信号入力部８２を入力端子３に対してプッシュロック機構で着脱する際、チャンネルユニット５を取り外すことなく、入力分配部４を長さ方向にスライドさせることが可能となっている。
【０１１０】
（構成−出力混合部６）
出力混合部６は、概略的には、ユニットケース８７、信号入力部８８、信号混合部８９、異常検知部８９ａ、信号出力部９０、出力表示部９１、及び筐体取り付け部９２を備えて構成されている。ただし、ユニットケース８７、信号混合部８９、信号出力部９０、及び筐体取り付け部９２は、実施の形態１と同様に構成できるので、その詳細な説明は省略する。
【０１１１】
信号入力部８８は、チャンネルユニット５から出力混合部６に向けて信号を入力するための入力手段であり、例えば、出力混合部６のユニットケース８７におけるチャンネルユニット５に対向する側面において、ケーブル用端子として構成されている。
【０１１２】
異常検知部８９ａは、出力混合部６の異常を検知する異常検知手段である。この異常検知部８９ａの具体的な構成は任意である。例えば、異常検知部８９ａは、信号混合部８９に含まれる各部の中で、比較的壊れ易い部品（アンプ等）の後段側において、出力信号のレベルを公知の方法で検知する。そして、異常検知部８９ａは、当該検知したレベルを所定の基準レベルと比較することにより、異常の有無を判定し、異常があると判定した場合には、異常検知信号を出力表示部９１に出力する。
【０１１３】
出力表示部９１は、異常検知部８９ａにより異常が検知された場合には、当該異常が検知されたことを、入力分配部４又は出力混合部６のいずれに当該異常が検知されたのかが識別可能となるように、表示する表示手段である。この出力表示部９１の具体的構成は任意であり、例えば、図７のように出力混合部６のユニットケース８７の上面に設けた表示部（例えば表示灯や、液晶パネル）として構成される。
【０１１４】
（出力混合部６とチャンネルユニット５の非干渉構造）
このように構成された出力混合部６とチャンネルユニット５の非干渉構造は、入力分配部４とチャンネルユニット５の非干渉構造と同様である。例えば図６のように、出力混合部６を着脱する導線上にチャンネルユニット５が重ならないようにすることで、チャンネルユニット５と干渉することなく出力混合部６を着脱することができる。また、出力混合部６とチャンネルユニット５とを相互にケーブルにて接続すると共に、これら出力混合部６とチャンネルユニット５との相互間にスペースを設けている。このため、出力混合部６の信号出力部９０を出力端子７に対してプッシュロック機構で着脱する際、チャンネルユニット５を取り外すことなく、出力混合部６を長さ方向にスライドさせることが可能となっている。
【０１１５】
（実施の形態３の効果）
このように実施の形態３によれば、実施の形態１と同様の効果に加えて、入力分配部４又は出力混合部６の少なくとも一方又はその一部分を、チャンネルユニット５と干渉することなく筐体２から着脱可能としたので、チャンネルユニット５を筐体２に取り付けたまま入力分配部４又は出力混合部６等のみを取り外して交換することができ、入力分配部４又は出力混合部６等の交換が一層容易になる。
【０１１６】
また、入力分配部４又は出力混合部６のいずれに異常が検知されたのかが識別可能となるように表示手段にて表示を行うので、入力分配部４又は出力混合部６のいずれに異常が生じた場合にはこの事実をユーザが容易に把握することができ、共同受信ヘッドアンプ８０の保守や点検に要する手間を削減することができる。
【０１１７】
〔III〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【０１１８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、共同受信ヘッドアンプの維持にかかる手間や費用を従来に比べて削減できていない場合であっても、従来と異なる手段にて共同受信ヘッドアンプの維持が可能となっている場合には、本願発明の課題が達成されている。
【０１１９】
（設置形式について）
実施の形態１〜３では屋外に設置する共同受信ヘッドアンプとして説明したが、他の設置形式で行うこともできる。例えば屋内に設置する共同受信ヘッドアンプの場合、筐体２に防水処理をしなくても良い。また、筐体２内部に排熱ファンを設け、筐体２には排熱口を設けることにより、排熱を行っても良い。
【０１２０】
（着脱方法について）
実施の形態１では着脱方法をプッシュロック機構として説明したが、他の方法で行うこともできる。例えば、入力端子３と入力分配部４の信号入力部１４、あるいは、出力端子７と出力混合部６の信号出力部３４、にそれぞれ対極となる磁石を設置し、磁石の磁力により着脱することとしてもよい。
【０１２１】
また、各端子の相互の接合構造としても、上記説明した構造以外の構造を採用することができる。例えば、入力分配部４とチャンネルユニット５との接続に関して、これらいずらか一方には、高さ方向に沿って並設された２枚の金属板から構成される端子を設け、いずれか他方には、高さ方向に沿って配置された１枚の金属板から構成される端子を設けてもよい。そして、当該１枚の金属板を当該２枚の金属板の間に挿入して挟持させることで、これら端子同士の接続を行うようにしてもよい。この構造によれば、入力分配部４とチャンネルユニット５を高さ方向にスライドさせることで、筐体２に対する着脱を行うことが可能になる。
【０１２２】
（チャンネルユニット５について）
実施の形態１では、チャンネルユニット５を筐体２から取り外すには、各チャンネルユニット５毎にボルトの締結を緩める事として説明したが、他の方法で行うこともできる。
例えば、各チャンネルユニット５をまとめて一つのケースに収容し、当該ケースを筐体２に取り付けることにより、ケースを筐体２から取り外すだけで全てのチャンネルユニット５を取り外すことができるため、チャンネルユニット５を一つずつ取り外す必要が無く、着脱の手間を省くことが出来る。
【０１２３】
実施の形態２では、信号分配部の中でも比較的壊れ易い部品としてアンプを挙げて説明したが、その他の部品でも当該実施形態の目的は達成される。例えば、アンプ同様に比較的壊れ易い部品と言えるサージ保護（吸収）素子を第１ユニットに設置することで、サージ保護（吸収）素子に障害が発生した場合に、入力分配部の全体ではなく第１ユニットのみを交換することで障害復旧を行うことが可能になるため、共同受信ヘッドアンプ５０の維持にかかる費用を一層削減することができる。
【０１２４】
（異常検知及び異常表示について）
異常検知及び異常表示のための構成についても、各実施の上記説明した構造以外の構造を採用することができる。例えば、表示手段を一つのみ設け、入力分配部４と出力混合部６のいずれに異常が生じたのかを統合的に判定し、この判定結果を当該一つの表示手段において、異常発生箇所が区別可能となるように表示させてもよい。具体的には、入力分配部４において比較的壊れ易い部品の後段で取得した信号レベル（以下、第１信号レベル）と、出力混合部６において比較的壊れ易い部品の後段で取得した信号レベル（以下、第２信号レベル）とを、図示しない中央制御部に入力する。この中央制御部は、第１信号レベルを基準レベルと比較し、異常があると判定した場合には、異常発生箇所が入力分配部４であると判定して、入力分配部４で異常が発生した旨を示す所定態様での表示を表示手段に行わせる（例えば、表示灯の点滅）。また、中央制御部は、第１信号レベルを基準レベルと比較して異常がないと判定した場合には、次に第２信号レベルを基準レベルと比較し、異常があると判定した場合には、異常発生箇所が出力混合部６であると判定して、出力混合部６で異常が発生した旨を示す所定態様での表示を表示手段に行わせる（例えば、表示灯の点灯）。
（付記）
付記１の共同受信ヘッドアンプは、受信した放送信号を調整して送信する共同受信ヘッドアンプであって、受信した放送信号を分配して送信する入力分配部と、上記入力分配部より受信した放送信号に対して所定の処理を行うことにより出力信号を生成して送信するチャンネルユニットと、上記チャンネルユニットより受信した出力信号を混合して送信する出力混合部と、上記入力分配部と上記チャンネルユニットと上記出力混合部を収容する筐体を備え、上記入力分配部又は上記出力混合部の少なくとも一方又はその一部分を、上記筐体から着脱可能とした。
付記２の共同受信ヘッドアンプは、付記１に記載の共同受信ヘッドアンプにおいて、上記入力分配部は、当該入力分配部に放送信号を入力するための信号入力部を備え、上記出力混合部は、当該出力混合部から放送信号を出力するための信号出力部を備え、上記筐体は、当該共同受信ヘッドアンプに放送信号を入力するための入力端子３と、当該共同受信ヘッドアンプから放送信号を出力するための出力端子とを備え、上記入力分配部又はその一部分を上記筐体から着脱する機構として、上記入力端子と上記信号入力部とを有するプッシュロック機構を備え、あるいは、上記出力混合部又はその一部分を上記筐体から着脱する機構として、上記出力端子と上記信号出力部とを有するプッシュロック機構を備えた。
付記３の共同受信ヘッドアンプは、付記１又は２に記載の共同受信ヘッドアンプにおいて、上記入力分配部又は上記出力混合部の少なくとも一方は、少なくとも放送信号を増幅するためのアンプを有する第１ユニットと、アンプを有しない第２ユニットを備え、上記第１ユニットを、上記第２ユニットと干渉することなく、上記筐体から着脱可能とした。
付記４の共同受信ヘッドアンプは、付記１から３のいずれか一項に記載の共同受信ヘッドアンプにおいて、上記入力分配部又は上記出力混合部の少なくとも一方又はその一部分を、上記チャンネルユニットと干渉することなく、上記筐体から着脱可能とした。
付記５の共同受信ヘッドアンプは、付記１から４のいずれか一項に記載の共同受信ヘッドアンプにおいて、上記入力分配部又は上記出力混合部の少なくとも一方の異常を検知する異常検知手段と、上記異常検知手段により異常が検知された場合には、当該異常が検知されたことを、上記入力分配部又は上記出力混合部のいずれに当該異常が検知されたのかが識別可能となるように、表示する表示手段を備えた。
（付記の効果）
付記１に記載の共同受信ヘッドアンプによれば、入力分配部又は出力混合部の少なくとも一方又はその一部分を筐体から着脱可能としたので、故障等が生じた入力分配部又は出力混合部の少なくとも一方又はその一部分のみを容易に交換することが可能になり、共同受信ヘッドアンプの維持にかかる手間や費用を削減することができる。また、このように入力分配部又は出力混合部の少なくとも一方又はその一部分のみを容易に交換することができるため、筐体を作業性のよい場所に移動する必要がなくなり、設置位置に固定したままでこれら入力分配部又は出力混合部等を交換することができる。このため、共同受信ヘッドアンプに接続されている入出力ケーブルに対する防水処理も取り外すことなくそのまま維持することができ、屋外型の共同受信ヘッドアンプの維持にかかる手間や費用を一層削減することができる。
付記２に記載の共同受信ヘッドアンプによれば、入力分配部又は出力混合部等を筐体から着脱する機構としてプッシュロック機構を備えているので、従来のようにネジ等を用いた構造に比べて、入力分配部又は出力混合部等の交換が一層容易になる。
付記３に記載の共同受信ヘッドアンプによれば、放送信号を増幅するためのアンプを有する第１ユニットを、アンプを有しない第２ユニットと干渉することなく筐体から着脱可能としたので、入力分配部又は出力混合部に障害が発生した場合に、これら入力分配部又は出力混合部の全体ではなく破損し易い部分のみを交換することで障害復旧を行うことが可能になるため、共同受信ヘッドアンプの維持にかかる費用を一層削減することができる。
付記４に記載の共同受信ヘッドアンプによれば、入力分配部又は出力混合部の少なくとも一方又はその一部分を、チャンネルユニットと干渉することなく筐体から着脱可能としたので、チャンネルユニットを筐体に取り付けたまま入力分配部又は出力混合部等のみを取り外して交換することができ、入力分配部又は出力混合部等の交換が一層容易になる。
付記５に記載の共同受信ヘッドアンプによれば、入力分配部又は出力混合部のいずれに異常が検知されたのかが識別可能となるように表示手段にて表示を行うので、入力分配部又は出力混合部のいずれに異常が生じた場合にはこの事実をユーザが容易に把握することができ、共同受信ヘッドアンプの保守や点検に要する手間を削減することができる。
【符号の説明】
【０１２５】
１、５０、８０  共同受信ヘッドアンプ
２  筐体
３  入力端子
３ａ  入力端子（広帯域用）
３ｂ  入力端子（狭帯域用）
３ｃ  入力端子（ＦＭ放送用）
４  入力分配部
５  チャンネルユニット
５ａ  一般チャンネルユニット
５ｂ  ＦＭチャンネルユニット
６  出力混合部
７  出力端子
７ａ  出力端子（放送用）
７ｂ  出力端子（モニタ用）
８  筐体本体
９  筐体蓋
１０  ヒンジ部
１１  筐体接合部
１２  ネジ穴
１３、２５、３１、５３、５７、６３、６７、８１、８７  ユニットケース
１４、３２、５４、５８、６４、６８、８２、８８  信号入力部
１４ａ  信号入力部（広帯域用）
１４ｂ  信号入力部（狭帯域用）
１４ｃ  信号入力部（ＦＭ放送用）
１５、８３  信号分配部
１６、３４、５６、６０、６６、７０、８４、９０  信号出力部
１７、３５、８６、９２  筐体取り付け部
１８、３６  チャンネルユニット取り付け部
１９、４０  避雷器
２０  ＡＴＴ
２１、３９  ＢＰＦ
２２、３８  アンプ
２３  分配器
２４  入力モニタ用端子
２４ａ  入力モニタ用端子（広帯域用）
２４ｂ  入力モニタ用端子（狭帯域用）
２４ｃ  入力モニタ用端子（ＦＭ放送用）
２６  入力部
２７  信号調整部
２８  出力部
２９  入力側取り付け部
３０  出力側取り付け部
３３、８９  信号混合部
３４ａ  信号出力部（放送用）
３４ｂ  信号出力部（モニタ用）
３７  混合器
４１  芯線
４２  スリット
５１、６１  第１ユニット
５２、６２  第２ユニット
５５  第１信号分配部
５９  第２信号分配部
６５  第１信号混合部
６９  第２信号混合部
８５  入力表示部
９１  出力表示部 
【図１】
0005948047.tif 000002
【図２】
0005948047.tif 000003
【図３】
0005948047.tif 000004
【図４】
0005948047.tif 000005
【図５】
0005948047.tif 000006
【図６】
0005948047.tif 000007
【図７】
0005948047.tif 000008